【事件の表示】
　特許第３３９０２９９号「マーキングペン用黒色インキ組成物」の請求項１に係る特許に対する特許異議の申立てについて、次のとおり決定する。
【結　論】
　訂正を認める。
　特許第３３９０２９９号の請求項１に係る特許を取り消す。
【理　由】
 １．手続の経緯
　特許第３３９０２９９号の請求項１に係る発明についての出願は、平成７年７月５日に出願され、平成１５年１月１７日に、その発明について特許権の設定登録がなされ、その後、特許異議申立人　パイロットインキ株式会社（以下、「パイロットインキ」という。）、三菱鉛筆株式会社（以下、「三菱鉛筆」という。）、シャチハタ株式会社（以下、「シャチハタ」という。）ぺんてる株式会社（以下、「ぺんてる」という。）及び野口和美より特許異議の申立てがなされ、取消しの理由が通知され、その指定期間内である平成１６年１１月２９日に訂正請求がなされたものである。
　
２．訂正の適否についての判断
（１）訂正の内容
　特許権者が求めている訂正の内容は、以下のとおりである。
　特許請求の範囲の請求項1に、
「【請求項１】ＣＩ．ソルベントブラック７で表される染料と、プロピレングリコールモノメチルエーテルと、そのプロピレングリコールモノメチルエーテルに溶ける樹脂、及び脂肪酸を少なくとも含有してなること特徴とするマーキングペン用黒色インキ組成物。」とあるのを、
「【請求項１】全インキ組成中、ＣＩ．ソルベントブラック７で表される染料が１〜１５重量％、プロピレングリコールモノメチルエーテルが６０〜９７重量％、そのプロピレングリコールモノメチルエーテルに溶ける樹脂が１〜１５重量％、及び脂肪酸が１〜８重量％を少なくとも含有してなること特徴とするマーキングペン用黒色インキ組成物。」と訂正する。
　
（２）訂正の目的の適否、新規事項の有無及び拡張・変更の存否
　上記の訂正は、訂正前の請求項１において、インキ組成物を構成する、ＣＩ．ソルベントブラック７で表される染料、プロピレングリコールモノメチルエーテル、そのプロピレングリコールモノメチルエーテルに溶ける樹脂、及び脂肪酸の配合量をそれぞれ、全インキ組成中、１〜１５重量％、６０〜９７重量％、１〜１５重量％、及び１〜８重量％に限定するものであるから、特許請求の範囲の減縮を目的とした明細書の訂正に該当する。
　そして、各成分の配合量は、願書に添付した明細書の段落【０００５】〜【０００８】にそれぞれ記載されているから、いずれも新規事項の追加に該当せず、実質的に特許請求の範囲を拡張又は変更するものではない。
　
（３）むすび
　したがって、上記訂正は、特許法第１２０条の４第２項及び同条第３項において準用する特許法第１２６条第２項及び第３項の規定に適合するので、当該訂正を認める。
　
３．特許異議の申立ての概要
　各異議申立人は、それぞれ以下に示す理由により、本件特許は、特許法第１１３条第２号又は第４号に該当するので、取り消されるべきものである旨主張している。
（１）異議申立人パイロットインキ
　証拠方法として、甲第１号証（特開昭５８−６３７６４号公報）、甲第２号証（特開平５−１５６１９７号公報）及び甲第３号証（特開平５−３３１４０２号公報）を提示し、訂正前の本件請求項１に係る発明は、甲第２号証に記載された発明であるから、特許法第２９条第１項第３号に該当するものであり、また、甲第１〜３号証に記載された発明に基づいて当業者が容易になし得たものであるから、特許法第２９条第２項の規定に違反するものである。
（２）異議申立人三菱鉛筆
　証拠方法として、甲第１号証（特公昭５５−１７７９６号公報）、甲第２号証（特開平３−１７２３６６号公報）、甲第３号証（特開平７−１６６１１８号公報）及び参考資料１（社団法人有機合成化学協会編、「新版　染料便覧」、丸善株式会社、昭和４５年７月２０日、ｐ．８７５）を提示し、訂正前の本件請求項１に係る発明は、甲第１、２、３号証に記載された発明であるから、特許法第２９条第１項第３号に該当するものであり、また、甲第１〜３号証に記載された発明に基づいて当業者が容易になし得たものであるから、特許法第２９条第２項の規定に違反するものである。
（３）異議申立人シャチハタ
　証拠方法として、甲第１号証（特開昭５７−４４６８４号公報）、甲第２号証（特開昭６２−２０７３７７号公報）、甲第３号証（「ダワノール　グリコールエーテル　Ｐ−シリーズ（酸化プロピレンをベースとしたグリコールエーテル類）製品概要」、ダウ・ケミカル日本株式会社のカタログ、Ｐ．１〜１２）を提示し、訂正前の本件請求項１に係る発明は、甲第１〜３号証に記載された発明に基づいて当業者が容易になし得たものであるから、特許法第２９条第２項の規定に違反するものであり、また、訂正前の本件特許明細書の記載には不備があるから、特許法第３６条第６項第２号に規定する要件を満たしていないものである。
（４）異議申立人ぺんてる
　証拠方法として、甲第１号証（特開平１−２２１４７１号公報）、甲第２号証（「OIL COLOURS　オイルカラー」、中央合成化学株式会社のカタログ）、甲第３号証（特開平３−１７２３６６号公報）及び甲第４号証（「PRODUCT LIST」、オリエント化学工業株式会社のカタログ、Ｐ．２〜３）を提示し、訂正前の本件請求項１に係る発明は、甲第１号証に記載された発明であるから、特許法第２９条第１項第３号に該当するものであり、また、甲第３号証に記載された発明に基づいて当業者が容易になし得たものであるから、特許法第２９条第２項の規定に違反するものである。
（５）異議申立人野口和美
　証拠方法として、甲第１号証（特開平１−２２１４７１号公報）、甲第２号証（「OIL COLOURS　オイルカラー」、中央合成化学株式会社のカタログ）、甲第３号証（社団法人有機合成化学協会編、「新版　染料便覧」、丸善株式会社、昭和５３年８月２０日第３刷、Ｐ．８７５）、甲第４号証（特開平５−２７９６１６号公報）、甲第５号証（特開平６−８０９２５号公報）、甲第６号証（「COLOUR INDEX INTERNATIONAL THIRD EDITION(THIRD REVISION)」、VOLUME 5、THE SOCIETY OF DYERS AND COLOURISTS、１９８７年、Ｐ．５１７８）、甲第７号証（特開平４−１６８１６９号公報）及び甲第８号証（特開平７−１６６１９９号公報）を提示し、訂正前の本件請求項１に係る発明は、甲第１号証に記載された発明であるから、特許法第２９条第１項第３号に該当するものであり、また、甲第１、４、５、７、８に記載された発明に基づいて当業者が容易になし得たものであるから、特許法第２９条第２項の規定に違反するものである。
　
４．取消理由通知の概要
　当審の通知した取消理由は以下のとおりである。
　訂正前の本件請求項１に係る発明は、各異議申立人の提示した証拠方法により、特許法第２９条の規定に違反するものであり、また、訂正前の本件特許明細書は、特許法第３６条第６項第２号に規定する要件を満たしていないものであるので、本件特許は取り消されるべきものである。
　
５．特許異議の申立てについての判断
（１）本件発明
　上記２に示したように、上記訂正が認められるから、本件の請求項１に係る発明（以下、「本件発明」という。）は、上記訂正に係る訂正明細書の特許請求の範囲の請求項１に記載された事項により特定される次のとおりのものである。
【請求項１】全インキ組成中、ＣＩ．ソルベントブラック７で表される染料が１〜１５重量％、プロピレングリコールモノメチルエーテルが６０〜９７重量％、そのプロピレングリコールモノメチルエーテルに溶ける樹脂が１〜１５重量％、及び脂肪酸が１〜８重量％を少なくとも含有してなること特徴とするマーキングペン用黒色インキ組成物。
　なお、以下、訂正後の本件特許明細書を単に「特許明細書」という。
　
（２）引用刊行物に記載された事項
ア．本件の出願前に頒布された刊行物である、特開平１−２２１４７１号公報（異議申立人ぺんてるの提示した甲第１号証、異議申立人野口和美の提示した甲第１号証、以下、「刊行物１」という。）の記載事項
　記載事項ａ：「ニグロシンとアルコール系溶剤とドデシルベンゼンスルホン酸とケトン樹脂とを少なくとも含有する油性黒色インキ。」（特許請求の範囲）
　記載事項ｂ：「ニグロシンを用いた油性黒色インキは該着色剤の溶解性の向上をはかるため、可溶化剤としてオレイン酸等の脂肪酸、溶剤としてキシレン、トルエン等の芳香族炭化水素等が用いられていたものであるが、臭気、毒性等の問題があり、溶剤としてアルコール系溶剤が用いられる様になった。」（刊行物１の１頁右欄４〜１０行）
　記載事項ｃ：「ニグロシンは着色剤として使用するものであり、具体的には、ニグロシンベース（オリエント（株）製）、オイルブラックＳ、オイルブラックＦＳスペシャル（中央合成化学（株）製）、・・・その添加量は、インキ全量に対し、３〜２０重量％が好ましい。アルコール系溶剤は溶剤として使用するものであり、・・・その添加量はインキ全量に対し、４０〜９０重量％が好ましい。ドデシルベンゼンスルホン酸は、可溶化剤として使用するものであり、その添加量はインキ全量に対し、０．５〜１０重量％が好ましい。ケトン樹脂は・・・具体的には、ハロン１１０Ｈ（本州化学（株）製）、ケトンレジン（荒川化学工業（株）製）等が挙げられ、・・・その添加量は、インキ全量に対して、５〜３０重量％が好ましい。」（２頁左上欄２行〜右上欄１２行）
　記載事項ｄ：「実施例５
オイルブラックＳ（ニグロシン、中央合成化学（株）製）　５．０部
プロピレングリコールモノメチルエーテル　７３．０部
ドデシルベンゼンスルホン酸　１０．０部
ケトンレジン（ケトン樹脂、荒川化学工業（株）製　１２．０部
上記各成分を実施例１と同様にして油性黒色インキを得た。」（３頁右上欄１３行〜左下欄２行）
　記載事項ｅ：「又、本発明の油性黒色インキは筆記具用のみならず、記録計用ジェットプリンター用としても十分使用可能である。」（４頁右下欄９〜１１行）
　
イ．本件の出願前に頒布された刊行物である、特開平３−１７２３６６号公報（異議申立人三菱鉛筆の提示した甲第２号証、異議申立人ぺんてるの提示した甲第３号証、以下、「刊行物２」という。）の記載事項
　記載事項ｆ：「着色材と、有機溶剤と、酢酸ビニル系樹脂より少なくともなる油性インキ。」（特許請求の範囲）
　記載事項ｇ：「従来、速乾性マーキングペン用インキ、所謂油性インキ・・・その筆跡の定着性は十分なものとはいえない。」（１頁左欄下から９〜３行）
　記載事項ｈ：「本発明に用いる着色材として、・・・使用量は、インキ全量に対して、２〜２０重量％が好ましい。有機溶剤としては、・・・エチレングリコールモノエチルエーテル、・・・プロピレングリコールモノメチルエーテル等のグリコールエーテル、・・・使用量は、インキ全量に対して、４０〜９０重量％が好ましい。酢酸ビニル系樹脂は、定着向上剤として使用されるもので、具体例としては、酢酸ビニルコポリマー、酢酸ビニルとクルトン酸の共重合体、・・・インキ全量に対して、０．５〜１５重量％が好ましい。」（１頁右欄１２行〜２頁右上欄７行）
　記載事項ｉ：「酢酸ビニルとクルトン酸の共重合体・・・は、グリコールエーテル、アルコール何れにも溶解し易いが、」（２頁左下欄４〜７行）
　記載事項ｊ：「実施例１
ニグロシンベースＥＸ　１０．０部
（油溶性染料、オリエント化学工業（株）製）
エチレングリコールモノエチルエーテル　７８．０部
オレイン酸　５．０部
酢酸ビニル系樹脂　７．０部
（Mowilith　２０、ヘキストジャパン（株）製）
上記各成分を配合し、攪拌機にて２時間攪拌して油性黒色インキを得た。」（２頁右下欄４〜１２行）
　
ウ．異議申立人の提示したその他の刊行物の記載事項
　記載事項ｋ：「Colour Index　堅牢度　Colour Cards」と題された表において、「Black S」の「Colour Index Generic Name」の欄に「Solvent Black 7」とある。（異議申立人野口和美の提示した甲第２号証）
　記載事項ｌ：「プロピレングリコールモノメチルエーテル、・・・は、インキの溶剤として使用するものである。・・・樹脂は、前記溶剤に可溶であり、酸価度が１０以下の樹脂・・・である。・・・酸価度が１０以下の樹脂の具体例としては、ケトン樹脂として、ケトンレジンＫ−９０（荒川化学工業（株）製）、ハロン１１０Ｈ（本州化学（株）製）・・・」（異議申立人野口和美の提示した甲第７号証の２頁左下欄５行〜右下欄１２行）
　記載事項ｍ：「NIGROSINE BASE」と題された表において、「名称　name C.I.generic name」の欄に「NIGROSINE BASE EX C.I.solvent black 7」とある。（異議申立人ぺんてるの提示した甲第４号証の３頁）
　記載事項ｎ：「【従来の技術】従来油性黒色インキとしては、濃度が高く、低価格である等の理由により着色剤としてニグロシン、可溶化剤としてオレイン酸等の脂肪酸、溶剤としてキシレン、トルエン等の芳香族炭化水素を使用しているものが知られている。しかしながら、芳香族炭化水素は臭気や毒性が高いなどの問題があるので、近年、溶剤として臭気や毒性が低い脂肪族アルコールを油性インキの溶剤として使用することが多く提案されている。」（異議申立人パイロットインキの提示した甲第２号証の段落【０００２】）
　記載事項ｏ：「従来より叙上の筆記具に使用する一般の黒色インキとして、数多くあるが多くは染料として色調、コスト、耐候性などの面より秀れるニグロシンベースを用い、メタノール、エタノールのような低級アルコール、エチレングリコールモノアルキルエーテルの如き多価アルコール誘導体、酢酸メチル、酢酸エチル、アセト酢酸メチルの如きエステル類、アセトンメチルイソブチルケトンの如きケトン類、キシレン、トルエンなどの芳香族炭化水素等の有機溶剤を使用していたが、これら溶剤のみではニグロシンベースは非常に溶解性が悪い為にステアリン酸やオレイン酸等の脂肪酸を可溶化剤として併用し、有機溶剤に可溶化させていた。」（異議申立人三菱の提示した甲第１号証の１頁１欄３０行〜２欄５行）
　
（３）対比・判断
ア．刊行物１との対比・判断
　刊行物１には、インキ全量に対し、着色剤としてニグロシンが３〜２０重量％、アルコール系溶剤が４０〜９０重量％、可溶化剤としてドデシルベンゼンスルホン酸が０．５〜１０重量％、及びケトン樹脂が５〜３０重量％を少なくとも含有する油性黒色インキが記載されており（記載事項ａ、ｃ参照）、具体的に、ニグロシンとしてオイルブラックＳ（中央合成化学（株）製）を、アルコール系溶剤としてプロピレングリコールモノメチルエーテルを、ケトン樹脂としてケトンレジン（荒川化学工業（株）製）を組み合わせて用いた油性黒色インキが記載されている（記載事項ｄ参照）。そして、油性黒色インキは筆記用具として用いられるものであること、すなわちマーキングペンとして用いられるものであることが記載されている（記載事項ｅ参照）。
　以上のことから、刊行物１には、「インキ全量に対し、オイルブラックＳ（中央合成化学（株）製）が３〜２０重量％、プロピレングリコールモノメチルエーテルが４０〜９０重量％、ドデシルベンゼンスルホン酸が０．５〜１０重量％、及びケトンレジン（荒川化学工業（株）製）が５〜３０重量％を少なくとも含有するマーキングペン用油性黒色インキ組成物」に関する発明（以下、「引用発明１」という。）が記載されている。
　そこで、本件発明と引用発明１とを対比すると、両者は、「全インキ組成中、着色剤が３〜１５重量％、プロピレングリコールモノメチルエーテルが６０〜９０重量％、樹脂が５〜１５重量％、及び酸が１〜８重量％を少なくとも含有してなること特徴とするマーキングペン用黒色インキ組成物」である点で一致し、以下に示す点で一応相違している。
　相違点１：着色剤について、本件発明は、ＣＩ．ソルベントブラック７で表される染料としているのに対し、引用発明１は、オイルブラックＳ（中央合成化学（株）製）である点。
　相違点２：樹脂について、本件発明は、プロピレングリコールモノメチルエーテルに溶ける樹脂としているのに対し、引用発明１は、ケトンレジン（荒川化学工業（株）製）である点。
　相違点３：酸について、本件発明は、脂肪酸としているのに対し、引用発明１は、ドデシルベンゼンスルホン酸である点。
　上記相違点１〜３について以下に検討する。
＜相違点１について＞
　オイルブラックＳ（中央合成化学（株）製）は、記載事項ｋによれば、ＣＩ．ソルベントブラック７であることが明らかである。
　したがって、相違点１は実質的な相違点ではない。
＜相違点２について＞
　特許明細書の段落【０００７】には、「本発明のインキ組成物に使用するプロピレングリコールモノメチルエーテルに溶ける樹脂としては、プロピレングリコールモノメチルエーテル可溶性アルキルフェノール樹脂、あるいはプロピレングリコールモノメチルエーテル可溶性ケトン樹脂である。」と記載されている。そして刊行物１に記載されているケトンレジン（荒川化学工業（株）製）はケトン樹脂であるから、プロピレングリコールモノメチルエーテル可溶性ケトン樹脂といえる。
　また、刊行物１には、ケトン樹脂の具体例として、ケトンレジン（荒川化学工業（株）製）及びハロン１１０Ｈ（本州化学（株）製）があげられており（記載事項ｃ参照）、これらケトン樹脂は、記載事項ｌからも、プロピレングリコールモノメチルエーテルに溶ける樹脂であることは明らかである。
　したがって、相違点２は実質的な相違点ではない。
＜相違点３について＞
　特許明細書から、「脂肪酸」に関する説明を挙げると、「ＣＩ．ソルベントブラック７を、脂肪酸を溶解助剤として用いることによりプロピレングリコールモノメチルエーテルに溶解させ」（段落【０００４】）、また、「本発明のインキ組成物に使用する脂肪酸は染料の可溶化剤として使用」（段落【０００８】）し、これによって、「ニグロシン染料の可溶化剤として用いている脂肪酸がガラス表面の水酸基と水素結合を起こ」（段落【０００９】）すものであり、具体的には、「オレイン酸、パルミンチン酸、セバシン酸、アルキルベンゼンスルホン酸、ポリオキシエチレンアルキルエーテルリン酸エステル等が挙げられ、プロピレングリコールモノメチルエーテルに対する溶解性がよいためオレイン酸が好ましい。」（段落【０００８】）とされ、実施例２においては、段落【０００８】に列挙された「脂肪酸」の中から「アルキルベンゼンスルホン酸」を用い、本発明の課題を解決するマーキングペン用黒色インキ組成物が得られている。
　これらの説明からすると、本件発明における「脂肪酸」とは、その字義どおり厳密に「カルボキシル基１個をもつカルボン酸のうち鎖式構造をもつもの」と解するよりも、「インキ組成物とする際に、染料を可溶化させるものであり、ガラス表面の水酸基と水素結合を起こすものであり、オレイン酸、パルミンチン酸、セバシン酸、アルキルベンゼンスルホン酸、ポリオキシエチレンアルキルエーテルリン酸エステル等の酸」と解する方が自然である。そして、刊行物１に記載のドデシルベンゼンスルホン酸は、記載事項ｃにあるように、着色剤の可溶化剤として使用するものであって、特許明細書の前記アルキルベンゼンスルホン酸の一種である。
　以上のことから、引用発明１の「ドデシルベンゼンスルホン酸」は、本件発明の「脂肪酸」に含まれるものであるといえるから、相違点３は実質的な相違点ではない。
　
　よって、相違点１〜３はいずれも実質的な相違点ではなく、本件発明は、刊行物１に記載された発明であるから、特許法第２９条第１項の規定に違反して特許されたものである。
　
　なお、特許権者は、特許異議意見書を提出し、刊行物１のドデシルベンゼンスルホン酸は、本件発明の脂肪酸とは相違すると主張しているが、先に示した特許明細書の記載からみて、そこに本件発明の脂肪酸として明記されているアルキルベンゼンスルホン酸を、単に意見書で相違すると主張することのみで、本件発明に含まれないとすることはできない。
　
イ．刊行物２との対比・判断
　刊行物２には、インキ全量に対し、着色材が２〜２０重量％、有機溶剤が４０〜９０重量％、及び酢酸ビニル系樹脂が０．５〜１５重量％を少なくとも含有する油性インキが記載されており、実施例１には、着色材としてニグロシンベースＥＸ（オリエント化学工業（株）製）１０．０部と、有機溶剤としてエチレングリコールモノエチルエーテル７８．０部と、酢酸ビニル系樹脂７．０部と、さらにオレイン酸５．０部とを配合した油性黒色インキが記載されている（記載事項ｊ参照）。そして、油性インキは、マーキングペン用インキとしての用途も開示されている（記載事項ｇ参照）。
　以上のことから、刊行物２には、「インキ全量に対し、ニグロシンベースＥＸ（オリエント化学工業（株）製）が１０．０部、エチレングリコールモノエチルエーテルが７８．０部、酢酸ビニル系樹脂が７．０部、及びオレイン酸が５．０部を少なくとも含有するマーキングペン用油性黒色インキ組成物」に関する発明（以下、「引用発明２」という。）が記載されている。
　そこで、本件発明と引用発明２とを対比すると、両者は、「全インキ組成中、着色材が１０．０重量％、グリコールエーテルが７８．０重量％、樹脂が７．０重量％、及びオレイン酸が５．０重量％を少なくとも含有してなること特徴とするマーキングペン用黒色インキ組成物」である点で一致し、以下に示す点で一応相違している。
　相違点４：着色材について、本件発明は、ＣＩ．ソルベントブラック７で表される染料としているのに対し、引用発明２は、ニグロシンベースＥＸ（オリエント化学工業（株）製）である点。
　相違点５：樹脂について、本件発明は、プロピレングリコールモノメチルエーテルに溶ける樹脂としているのに対し、引用発明２は、酢酸ビニル系樹脂である点。
　相違点６：グリコールエーテルについて、本件発明は、プロピレングリコールモノメチルエーテルとしているのに対し、引用発明２は、エチレングリコールモノエチルエーテルである点。
　上記相違点４〜６について以下に検討する。
＜相違点４について＞
　ニグロシンベースＥＸ（オリエント化学工業（株）製）は、記載事項ｍによれば、ＣＩ．ソルベントブラック７であることが明らかである。
　したがって、相違点４は実質的な相違点ではない。
＜相違点５について＞
　刊行物２には、インキ組成物の有機溶剤として、エチレングリコールモノエチルエーテル（以下、「ＥＭ」という。）、プロピレングリコールモノメチルエーテル（以下、「ＰＭ」という。）等のグリコールエーテルが記載されており、酢酸ビニル系樹脂は、それらグリコールエーテルに溶解し易いことが記載されている（記載事項ｈ、ｉ参照）。
　したがって、相違点５は実質的な相違点ではない。
＜相違点６について＞
　相違点５について、でも示したように、刊行物２には、有機溶剤として、グリコールエーテルが挙げられ、その一例としてＥＭとＰＭが同等に記載されていることから（記載事項ｈ参照）、記載事項ｊの実施例１に示されている油性黒色インキにおいて、グリコールエーテルの具体例として示されているＥＭのみではなく、ＰＭを用いることが実質的に記載されていると考えられるが、この点について以下にさらに検討する。
　実施例１には、刊行物２に記載された発明における必須の構成要件である、着色材、有機溶剤、酢酸ビニル系樹脂以外に、オレイン酸が配合されているが、オレイン酸は、記載事項ｂ、ｎ、ｏから明らかなように、ニグロシンの可溶化剤として従来から一般的に用いられているものである。
　すなわち、実施例１で使用されているオレイン酸は、ニグロシンをアルコールや多価アルコール誘導体等の溶剤に可溶化するためにニグロシンとともに通常用いられているものであり、オレイン酸が存在することによって、通常用いられている溶剤が使えなくなるわけでなはい。
　そうしてみると、刊行物２には、ＥＭとＰＭは同等の溶剤として記載されており、オレイン酸が存在することで、ＰＭが使えないとする理由もないから、実施例１において、ＥＭにかえてＰＭを用いたインキも、当然に刊行物２に記載されているに等しいものと認められる。
　したがって、相違点６は実質的な相違点ではない。
　
　よって、相違点４〜６はいずれも実質的な相違点ではなく、本件発明は、刊行物２に記載された発明であるから、特許法第２９条第１項の規定に違反して特許されたものである。
　
（４）むすび
　したがって、本件発明についての特許は、特許法第１１３条第２号に該当し、取り消されるべきものである。
　よって、結論のとおり決定する。
【異議決定日】
平成１６年１２月２８日（２００４．１２．２８）
【訂正の要旨】
審決（決定）の【理由】欄参照。
（５４）【発明の名称】
マーキングペン用黒色インキ組成物
（５７）【特許請求の範囲】
　【請求項１】　
全インキ組成中、
が１〜１５重量％
が６０〜９７重量％
１〜１５重量％
が１〜８重量％
【発明の詳細な説明】
　【技術分野】
　【０００１】
本発明はマーキングペンに使用するインキに関し、更に詳しくはプロピレングリコールモノメチルエーテルを主溶剤に用い、毒性や悪臭が無く安全であり、かつガラス表面に対する筆跡の浸水時の定着性に優れたマーキングペン用黒色インキ組成物に関するものである。
　【０００２】
　【従来の技術】
従来から油性マーキングペンの黒色インキ組成物には、染料としてコスト的に低価格であるニグロシンを使用し、溶剤としてキシレンを使用するのが一般的であった。
ところが、溶剤としてキシレンを使用したインキ組成物は、臭気が強く、また過度に吸うと人体に好ましくないため、その使用方法や使用環境等に注意する必要があった。この問題を解決するものとして低臭性、低毒性であるグリコールエーテル系溶剤を主とするインキ組成物、特にプロピレングリコールモノメチルエーテルを主溶剤とするマーキングペンに用いるインキ組成物（以下、ＰＭ性インキ組成物と呼ぶ）が近年開発されたが、かかるＰＭ性インキ組成物には、ニグロシン染料はプロピレングリコールモノメチルエーテルに対する溶解性悪いため使用できず、ＰＭ性インキ組成物においてはプロピレングリコールモノメチルエーテルに対し溶解性の比較的よい含金属染料が用いられている。しかし、この含金属染料はコストの面で高価格であり、さらに含金属染料を用いるＰＭ性黒インキ組成物は、ガラス器具等の表面に筆記しそのまま水に浸漬したときのその筆跡の定着性、いわゆる浸水時の定着性が悪いという問題が有る。
　【０００３】
　【発明が解決しようとする課題】
本発明はマーキングペンインキ組成物において上記の欠点を解決するもので、臭気や毒性が少なく、ガラスに対する筆跡の浸水時の定着性に優れたマーキングペン用黒色インキ組成物を提供することを目的とする。
　【０００４】
　【課題を解決するための手段】
本発明者は前記の課題を解決する為に鋭意研究を行なった結果、ＣＩ．ソルベントブラック７を、脂肪酸を溶解助剤として用いることによりプロピレングリコールモノメチルエーテルに溶解させることによって、ガラスに対する筆跡の定着性に優れたマーキングペン用黒色インキ組成物を得ることを見出し、本発明を完成するに至った。すなわち、本発明のマーキングペン用黒色インキ組成物は、ＣＩ．ソルベントブラック７で表される染料、プロピレングリコールモノメチルエーテルと、そのプロピレングリコールモノメチルエーテルに溶ける樹脂、及び脂肪酸を含有してなることを特徴とする。以下、本発明のインキ組成物の各成分について詳細に説明する。
　【０００５】
本発明のインキ組成物に用いるＣＩ．ソルベントブラック７は黒色染料であり、インキ粘度などを考慮してインキ組成物全量の１〜１５重量％の範囲で使用でき、３〜１２重量％の範囲が好ましい。１重量％未満ではインキ組成物の濃度が低く、１５重量％を超えるとインキ粘度が高くなり使用できない。また、必要に応じて上記染料以外にプロピレングリコールモノメチルエーテル可溶性染料を加えてもよい。
　【０００６】
本発明のインキ組成物に用いられるプロピレングリコールモノメチルエーテルは、主溶剤として用いられる。その含有量は、インキ全体の６０〜９７重量％が好ましい。６０未満では粘度上昇による筆記不良となり、９７重量％を超えると濃度不足等の問題が生じる。またプロピレングリコールモノメチルエーテル以外の溶剤として、ジプロピレングリコールモノメチルエーテル、炭素数１〜４の一価のアルコール等を白化防止剤、乾燥性付与剤等の補助溶剤として添加しても良いが、全溶剤中のプロピレングリコールモノメチルエーテルの使用量は全溶剤量の６０重量％以上が好ましい。６０重量％未満では染料の溶解不良等の問題が生じる。
　【０００７】
本発明のインキ組成物に使用するプロピレングリコールモノメチルエーテルに溶ける樹脂としては、プロピレングリコールモノメチルエーテル可溶性アルキルフェノール樹脂、あるいはプロピレングリコールモノメチルエーテル可溶性ケトン樹脂である。プロピレングリコールモノメチルエーテル可溶性アルキルフェノール樹脂の具体例としては、“タマノール５１０”（荒川化学工業（株）製）、“ヒタノール２５０１”（日立化成工業（株）製）等が挙げられる。また、プロピレングリコールモノメチルエーテル可溶性ケトン樹脂の具体例としては、“ハロン８０”（本州化学工業（株）製）、“ハイラック１１０Ｈ”（日立化成工業（株）製）等が挙げられる。これら樹脂の添加量は特に制限する事はないが、要求される定着性やペン先の耐乾燥性に適した量であれば良く、好ましくはインキ粘度を考慮してインキ組成物全体の１〜１５重量％が好ましい。１重量％未満では定着性および耐水性が悪く、１５重量％を超えるとインキ粘度が高くなる。
　【０００８】
本発明のインキ組成物に使用する脂肪酸は染料の可溶化剤として使用するものである。具体例としてはオレイン酸、パルミンチン酸、セバシン酸、アルキルベンゼンスルホン酸、ポリオキシエチレンアルキルエーテルリン酸エステル等が挙げられ、プロピレングリコールモノメチルエーテルに対する溶解性がよいためオレイン酸が好ましい。その添加量はインキ組成物全体に対し、１〜８重量％が好ましい。１重量％未満では染料の溶解性が悪く、８重量％を超えると筆跡の乾燥性が悪くなる。
　【０００９】
　【作用】
本発明のインキ組成物はガラスに対する筆跡の浸水時の定着性が良好である。その理由は定かではないが以下の様に推測される。ニグロシン染料の可溶化剤として用いている脂肪酸がガラス表面の水酸基と水素結合を起こし、従来用いられてきた含金属染料より定着性が良くなる為、ガラスに対する筆跡の浸水時の定着性が良くなるものと考えられる。さらに、本発明のインキ組成物は溶剤としてプロピレングリコールモノメチルエーテルを使用している為、低臭生、低毒性であり人体に対する安全性も良好なインキ組成物である。
　【００１０】
　【実施例】
以下、実施例及び比較例について本発明のインキを説明する。実施例及び比較例における部は重量部を示す。
実施例１
ＣＩ．ソルベントブラック７を１０部と、プロピレングリコールモノメチルエーテル可溶性アルキルフェノール樹脂（“タマノル５１０”：荒川化学工業（株）製）を７部と、オレイン酸を６部とをプロピレングリコールモノメチルエーテル７７部に添加して、１時間加熱撹拌してマーキングペン用ＰＭ性黒色インキ組成物を得た。
実施例２
ＣＩ．ソルベントブラック７を１２部と、プロピレングリコールモノメチルエーテル可溶性ケトン樹脂（“ハイラック１１０Ｈ”：日立化成工業（株）製）を１０部と、アルキルベンゼンスルホン酸を２部とをプロピレングリコールモノメチルエーテルの７６部に添加して、１時間加熱撹拌してマーキングペン用ＰＭ性黒色インキ組成物を得た。
実施例３
ＣＩ．ソルベントブラック７を７部と、プロピレングリコールモノメチルエーテル可溶性ケトン樹脂（“ハロン１１０Ｈ”：本州化学工業（株）製）を１２部と、セバシン酸を３部とをプロピレングリコールモノメチルエーテルの７８部に添加して、１時間加熱撹拌してマーキングペン用ＰＭ性黒色インキ組成物を得た。
　【００１１】
比較例１
含金属染料（“バリファストブラック３８１０”：オリエント化学工業（株）製）を１０部と、プロピレングリコールモノメチルエーテル可溶性アルキルフェノール樹脂（“タマノル５１０”：荒川化学工業（株）製）を８部とをＰＭの８２部に添加して、１時間加熱撹拌してマーキングペン用ＰＭ性黒色インキ組成物を得た。
　【００１２】
　【効果】
実施例１〜３及び比較例１で得られたマーキングペン用ＰＭ性黒色インキ組成物の、ガラス表面に対する筆跡の浸水時の定着性を下記の試験によって評価した。その結果を表１に示す。実施例１〜３及び比較例１で得られた各インキをフェルトのペン先を使用したマーキングペン（“サクラクレパス油性マーカー［ペンタッチ］（登録商標）”）に充填し、これを用いて表面をきれいに洗浄したガラス板に直線筆記をする。１時間放置した後、２４時間水中に浸漬する。筆跡がガラス板から剥離してしまうものを×、筆跡がガラス板から剥離しないものを○とする。
　【００１３】
　【表１】
以上のように、本発明のマーキングペン用黒色インキ組成物は、ガラス表面に対する筆跡の浸水時の定着性に優れている。
　【００１４】
　【発明の効果】
本発明のマーキングペン用黒色インキ組成物は、ガラス表面に対する筆跡の浸水時の定着性に優れ、また毒性や悪臭が無く安全であり、特にガラス器具等の浸水することがあり、かつ筆記表面が非吸収面のマーキングに適したインキ組成物である。